(57)【要約】【課題】本発明は、ボール座を有するボールペンチップにおいて、ボールへのインキ供給量の多いボールペンチップを簡単な構造で提供する。【解決手段】チップ本体に、ボール抱持室の底壁の中央に形成したインキ流通孔と、該インキ流通孔から放射状に延びる複数本のインキ流通溝とを有し、前記底壁にボールを挿置し、チップ先端部を内側にかしめることにより、ボールの一部をチップ先端縁より突出させて回転自在に抱持してなるボールペンチップにおいて、前記インキ流通溝の底部に、軸心方向に向かって突出し、且つ前記インキ流通溝の幅よりも小さい陸部を有するとともに、前記ボール抱持室の底壁及び前記陸部に、前記ボールと略同形のボール座を設けたことを特徴とする。【選択図】      図１
2011255582.tif 000002
【特許請求の範囲】
【請求項１】
チップ本体に、ボール抱持室の底壁の中央に形成したインキ流通孔と、該インキ流通孔から放射状に延びる複数本のインキ流通溝とを有し、前記底壁にボールを挿置し、チップ先端部を内側にかしめることにより、ボールの一部をチップ先端縁より突出させて回転自在に抱持してなるボールペンチップにおいて、前記インキ流通溝の底部に、軸心方向に向かって突出し、且つ前記インキ流通溝の幅よりも小さい陸部を有するとともに、前記ボール抱持室の底壁及び前記陸部に、前記ボールと略同形のボール座を設けたことを特徴とするボールペンチップ。
【請求項２】
前記陸部が、前記インキ流通溝の略中央に形成してあることを特徴とする請求項１に記載のボールペンチップ。
【発明の詳細な説明】
【技術分野】
【０００１】
本発明は、チップ本体に、ボール抱持室の底壁の中央に形成したインキ流通孔と、該インキ流通孔から放射状に延びるインキ流通溝とを有し、前記底壁にボールを挿置し、チップ先端部を内側にかしめることにより、ボールの一部をチップ先端縁より突出させて回転自在に抱持してなるボールペンチップに関する。
【背景技術】
【０００２】
従来から、底壁の中央にインキ流通孔、該インキ流通孔から放射状に延びるインキ流通溝を有するボール抱持室内にボールを挿置し、チップ先端部を内側にかしめることにより、ボールの一部をチップ先端部より突出させて回転自在に抱持してなるボールペンチップについてよく知られている。
【０００３】
こうした、従来のボールペンチップにおいて、特開２０００−７１６７２号公報「ボールペンチップ」のように、ボール抱持室の底壁に、ボールと略同形のボール座を設け、耐摩耗性等、高荷重での性能を向上してなるボールペンチップも、数多く提案されている。
【０００４】
また、インキ流通孔の大きさや特開２００１−２０５９６８号公報「ボールペンチップ」のように、インキ流通溝の大きさ、特に開口面積は、ボールへのインキ供給量を多くするために、数多く提案されている。
【先行技術文献】
【特許文献】
【０００５】
【特許文献１】特開２０００−７１６７２号公報
【特許文献２】特開２００１−２０５９６８号公報
【発明の概要】
【発明が解決しようとする課題】
【０００６】
しかし、特許文献２等、従来のボールペンチップでは、インキ供給量を多くする等を目的とし、インキ流通溝の開口面積を大きくすると、ボールと当接するボール座の面積が減少する問題を有する。
【０００７】
その反面、インキ流通溝の幅を小さくし、本数を増やすことで、インキ流通溝とボール座とのバランスを得ることも考えられるが、ボール座の形成時や摩耗によって、インキ流通溝を閉鎖して、ボールへのインキ供給量が著しく低下する恐れがあった。
【０００８】
本発明はこれらの従来技術に鑑みてなされたものであって、ボール座を有するボールペンチップにおいて、ボールへのインキ供給量の多いボールペンチップを簡単な構造で提供することにある。
【課題を解決するための手段】
【０００９】
本発明は、チップ本体に、ボール抱持室の底壁の中央に形成したインキ流通孔と、該インキ流通孔から放射状に延びる複数本のインキ流通溝とを有し、前記底壁にボールを挿置し、チップ先端部を内側にかしめることにより、ボールの一部をチップ先端縁より突出させて回転自在に抱持してなるボールペンチップにおいて、前記インキ流通溝の底部に、軸心方向に向かって突出し、且つ前記インキ流通溝の幅よりも小さい陸部を有するとともに、前記ボール抱持室の底壁及び前記陸部に、前記ボールと略同形のボール座を設けたことを特徴とする。
【００１０】
また、前記陸部が、前記インキ流通溝の略中央に形成してあることを特徴とする。
【００１１】
本願発明の請求項１の構成によれば、前記インキ流通溝の底部に、軸心方向に向かって伸び、且つ前記インキ流通溝の幅よりも小さい陸部を有するとともに、前記ボール抱持室の底壁及び前記陸部に、前記ボールと略同形のボール座を設けているため、インキ流通溝の開口面積の減少を抑制し、且つボール座の面積を向上することができるため、安定したインキ供給量を得ることができ、耐磨耗性を向上することができる。
【００１２】
また、前記陸部を設けることによって、幅の小さい小幅溝と幅の大きい大幅溝が形成されることになり、水性インキを用いた場合には、毛細管作用によって、インキ供給量をより高める効果を奏する。
【００１３】
本願発明の請求項２の構成によれば、前記陸部が、前記インキ流通溝の略中央に形成しているため、幅の小さい小幅溝を略同形とすることができ、より安定したインキ供給量を得ることができる。
【００１４】
尚、本発明のボールペンチップは、ステンレス、アルミニウム、黄銅等の金属製を用いることが最も好ましい。
【発明の効果】
【００１５】
本発明は、ボール座を有するボールペンチップにおいて、ボールへのインキ供給量の多いボールペンチップを簡単な構造で提供することができた。
【図面の簡単な説明】
【００１６】
【図１】実施例１のボールペンチップの一部省略した要部拡大縦断面図である。
【図２】図１におけるボールを省略したＡ−Ａ断面図である。
【図３】実施例２のボールペンチップの一部省略した要部拡大縦断面図である。
【図４】図２におけるボールを省略したＢ−Ｂ断面図である。
【発明を実施するための形態】
【実施例１】
【００１７】
図１、図２に示す実施例１のボールペンチップ１は、ステンレス鋼線材からなるチップ本体２のボール抱持室３の中央にインキ流通孔７と、このインキ流通孔７から放射状に延び、チップ後部孔９に達しないインキ流通溝６を形成した底壁４に、φ０．７ｍｍのタングステンカーバイド製のボール１０を載置し、チップ先端部２ａを内側にかしめことにより、ボール１０の一部がチップ先端縁より突出するように回転自在に抱持する。
【００１８】
ボールペンチップ１は、φ２．３ｍｍ、硬度が２３０Ｈｖ〜２８０Ｈｖのステンレス鋼線材を所望の長さに切断し、ボール抱持室３、インキ流通孔７と、インキ流通孔７から放射状に伸びるインキ流通溝６を作製後、ボール抱持室の底壁４に、ボール１０と略同形のボール座５を形成してある。
【００１９】
インキ流通溝６は、インキ流通孔７から、適宜間隔を設けて放射状に３本形成してあり、各インキ流通溝６の底部の略中央には、軸心Ｊ方向に向かって突出した陸部８を設けてあり、インキ流通溝６は幅の小さい小幅溝６ａと幅の大きい大幅溝６ｂが形成される。ボール座５は、インキ流通溝６の外径よりも小さく、且つ陸部８にも形成するように形成してある。
【００２０】
図３、図４に示す実施例２のボールペンチップ２１は、チップ本体２２のボール抱持室２３の中央にインキ流通孔２７と、このインキ流通孔２７から放射状に延び、チップ後部孔２９に達するインキ流通溝２６を形成し、各インキ流通溝２６の底部の略中央には、軸心Ｊ方向に向かって突出した陸部２８を設けた以外は、実施例１と同様にしてボールペンチップ２１を得ている。
【００２１】
尚、各インキ流通溝に形成する陸部の形状や大きさは、特に限定されるものではないが、少なくとも陸部の内接円径が、インキ流通孔よりも大きく、ボール座径よりも小さくすることが重要である。
【００２２】
また、インキ流通溝の数や大きさも、特に限定されるものではないが、ボール座の表面積とインキ流通溝の開口面積が略同等となることが、インキ供給量とボール座の摩耗とのバランスも良好となるため好ましい。
【００２３】
また、インキ流通溝は、後部孔に達する又は後部孔に達しない形状等、特に限定されるものではないが、インキ流通溝の加工ツールの寿命や高筆圧性能を鑑みて、後部孔に達しない形状とすることが好ましい。
【産業上の利用可能性】
【００２４】
本発明のボールペンチップは、使用するインキに限定されることなく使用可能で、油性ボールペン用インキや水性ボールペン用インキ、剪断減粘性を付与したインキ、修正用インキなど、インキの種類に関わらず使用することができるため、ボールを筆記媒体とするボールペンチップとして広く利用可能であり、特に毛細管現象が生じる水性インキを用いたボールペンチップに効果的に用いることができる。
【符号の説明】
【００２５】
１、２１  ボールペンチップ
２、２２  チップ本体
２ａ、２２ａ  先端部
３、２３  ボール抱持室
４、２４  底壁
５、２５  ボール座
６、２６  インキ流通溝
７、２７  インキ流通孔
８、２８  陸部
９、２９  後部孔
１０  ボール
【図１】
2011255582.tif 000003
【図２】
2011255582.tif 000004
【図３】
2011255582.tif 000005
【図４】
2011255582.tif 000006